(57)【要約】【課題】複数の電話番号を使用でき、使用目的によりこの複数の電話番号を使い分け、適切な電話機能を使用できる携帯電話装置を提供する。【解決手段】ＲＯＭ１０に電話番号Ａ、Ｂに相当する二つのＩＤを記憶していて、着信の際に電話番号Ａまたは電話番号Ｂのいずれにおいて着信を行なうか、各々の着信状態について留守番電話機能を使用するか否かをキー入力部８より使用者が予め設定するとともに、ＲＡＭ１１にこれら着信条件を記憶し、着信があった際にＲＯＭ１０に登録されたＩＤと着信信号におけるスロット中のＩＤを識別し、ＲＡＭ１１に記憶された前記着信条件に応じた着信制御を行なうようにしたもので、発信の際には電話番号Ａまたは電話番号Ｂのいずれにおいて発信を行なうかをキー入力部８より使用者が選択することにより発信制御を行なう。【選択図】図１
2004120788.tif 000002
【特許請求の範囲】
【請求項１】
　複数の識別符号を記憶した記憶手段と、
　前記複数の識別符号のうち着信を許容する識別符号を設定する着信識別符号設定手段と、
　着信の際に受信した識別符号と前記着信識別符号設定手段により設定された識別符号を照合する識別符号照合手段と、
　前記識別符号照合手段による照合結果に応じて着信制御する着信制御手段と
　を具備したことを特徴とする携帯電話装置。
【請求項２】
　複数の識別符号を記憶した記憶手段と、
　発信の際に前記複数の識別符号のうち発信を許容する識別符号を選択する識別符号選択手段と、
　この識別符号選択手段により選択された識別符号に応じて発信制御する発信制御手段と
　を具備したことを特徴とする携帯電話装置。
【請求項３】
　複数の識別符号を記憶した記憶手段と、
　前記複数の識別符号のうち着信を許容する識別符号を設定する着信識別符号設定手段と、
　この着信識別符号設定手段で設定された識別符号の着信について留守番電話機能を設定する留守番電話機能設定手段と、
　着信の際に受信した識別符号と前記着信識別符号設定手段により設定された識別符号を照合する識別符号照合手段と、
　この識別符号照合手段による照合結果に応じて着信を制御するとともに前記留守番電話設定手段の設定に応じて留守番電話機能を制御する留守番電話機能制御手段と
　を具備したことを特徴とする携帯電話装置。
【請求項４】
　前記記憶手段は、スケジュールを記憶するスケジュール記憶手段を具備し、前記着信識別符号設定手段は、前記スケジュール記憶手段に記憶されているスケジュールに基づいて着信を許容する識別符号を設定することを特徴とする請求項３記載の携帯電話装置。
【請求項５】
　前記記憶手段は、少なくとも１つの端末識別符号を記憶した第１の記憶手段と、着脱可能に設けられ且つ少なくとも１つの端末識別符号を記憶した第２の記憶手段を具備することを特徴とする請求項１、２または３記載の携帯電話装置。
【請求項６】
　前記第２の記憶手段の着脱状態を検出する検出手段と、この検出手段により前記第２の記憶手段の着状態を検出すると前記第２の記憶手段に記憶された端末識別符号を選択し、前記検出手段により前記第２の記憶手段の脱状態を検出すると前記第１の記憶手段に記憶された端末識別符号を選択する選択手段を具備したことを特徴とする請求項５記載の携帯電話装置。
【請求項７】
　前記記憶手段は、着脱可能に設けられ且つ少なくとも１つの端末識別符号を記憶することを特徴とする請求項１、２または３記載の携帯電話装置。
【発明の詳細な説明】
【技術分野】
【０００１】
　本発明は、携帯電話装置に関するものである。
【背景技術】
【０００２】
　最近、携帯電話装置としてデジタル・コードレス電話であるＰＨＳ（パーソナル・ハンディホン・システム）が注目されており、デジタルの特徴を生かした秘話機能、データ通信などの利用が有望視されている。
【０００３】
　そして、このようなデジタル・コードレス電話は、１台の端末（子機）で家庭や会社に加え、屋外でも公衆用の基地局（親機）に接続して電話できる機能を有するもので、１台で相当する基地局を介して家庭内、会社、屋外のどこからでも電話できることを最大の特徴としている。
【発明の開示】
【発明が解決しようとする課題】
【０００４】
　ところが、これまでのデジタル・コードレス電話は識別符号（ＩＤ）を一つしか登録できないため、一つの電話番号での使用しかできなかった。
　しかし、１台のデジタル・コードレス電話を一つの電話番号によって家庭内、会社、屋外の何処でも使用すると、数々の弊害が生じてしまう。
【０００５】
　例えば、会社内で仕事中に、家庭内で通話すべくプライベートな電話がかかってきたり、逆に休暇中に、家庭内に仕事上の電話がかかってきたりということが起きてしまう。
【０００６】
　使用者にとって、１台のデジタル・コードレス電話を使用する場所、日時によって、適切に要する機能を区別して使用したい希望は大であるといえる。
　また、当然一つの電話番号について課金されるため、通話料金をプライベートに関するものと仕事に関するもの等区別して支払うことができないという欠点があった。
【０００７】
　本発明は上記のような事情に鑑みてなされたもので、複数の電話番号を使用でき、使用目的によりこの複数の電話番号を使い分け、適切な電話機能を使用できる携帯電話装置を提供することを目的とする。
【課題を解決するための手段】
【０００８】
　本発明は、複数の識別符号を記憶した記憶手段と、前記複数の識別符号のうち着信を許容する識別符号を設定する着信識別符号設定手段と、着信の際に受信した識別符号と前記着信識別符号設定手段により設定された識別符号を照合する識別符号照合手段と、前記識別符号照合手段による照合結果に応じて着信制御する着信制御手段により構成されている。
【０００９】
　本発明は、複数の識別符号を記憶した記憶手段と、発信の際に前記複数の識別符号のうち発信を許容する識別符号を選択する識別符号選択手段と、この識別符号選択手段により選択された識別符号に応じて発信制御する発信制御手段により構成されている。
【００１０】
　本発明は、複数の識別符号を記憶した記憶手段と、前記複数の識別符号のうち着信を許容する識別符号を設定する着信識別符号設定手段と、この着信識別符号設定手段で設定された識別符号の着信について留守番電話機能を設定する留守番電話機能設定手段と、着信の際に受信した識別符号と前記着信識別符号設定手段により設定された識別符号を照合する識別符号照合手段と、この識別符号照合手段による照合結果に応じて留守番電話機能制御手段により着信を制御するとともに前記留守番電話機能設定手段の設定に応じて留守番電話機能を制御する留守番電話機能制御手段により構成されている。
【００１１】
　本発明では、前記記憶手段は、スケジュールを記憶するスケジュール記憶手段を具備し、前記着信識別符号設定手段は、前記スケジュール記憶手段に記憶されているスケジュールに基づいて着信を許容する識別符号を設定するようにしている。
【００１２】
　本発明では、前記記憶手段は、少なくとも１つの端末識別符号を記憶した第１の記憶手段と、着脱可能に設けられ且つ少なくとも１つの端末識別符号を記憶した第２の記憶手段により構成されている。
【００１３】
　本発明は、前記第２の記憶手段の着脱状態を検出する検出手段と、この検出手段により前記第２の記憶手段の着状態を検出すると前記第２の記憶手段に記憶された端末識別符号を選択し、前記検出手段により前記第２の記憶手段の脱状態を検出すると前記第１の記憶手段に記憶された端末識別符号を選択する選択手段により構成されている。
　本発明では、前記記憶手段は、着脱可能に設けられ且つ少なくとも１つの端末識別符号を記憶するように構成されている。
【発明の効果】
【００１４】
　本発明によれば、複数の識別符号を記憶手段により記憶し、前記複数の識別符号のうち着信を許容する識別符号を着信識別符号設定手段により設定し、着信の際に受信した識別符号と前記着信識別符号設定手段により設定された識別符号を識別符号照合手段により照合し、この照合結果に応じて着信制御手段により着信制御するようにしたので、使用目的に応じて異なる電話番号を活用した着信を実現でき、これにより１台の電話機で例えば、ビジネス用、プライベート用と目的に応じた着信通話を選択的に行なうことができる。
【００１５】
　また、本発明によれば、複数の識別符号を記憶手段により記憶し、発信の際に前記複数の識別符号のうち発信を許容する識別符号を識別符号選択手段により選択し、この識別符号選択手段により選択された識別符号に応じて発信制御手段により発信制御するようにしたので、使用目的に応じて異なる電話番号を活用した発信を実現でき、これにより１台の電話機で、例えばビジネス用、プライベート用と目的に応じた発信通話を選択的に行なうことができるとともに、これらビジネス用、プライベート用の使用に応じて通話時の課金を振り分けることもできる。
【００１６】
　また、本発明によれば、複数の識別符号を記憶手段により記憶し、前記複数の識別符号のうち着信を許容する識別符号を着信識別符号設定手段により設定し、この着信識別符号設定手段で設定された識別符号の着信について留守番電話機能を留守番電話機能設定手段により設定し、着信の際に受信した識別符号と前記着信識別符号設定手段により設定された識別符号を識別符号照合手段により照合し、この照合結果に応じて留守番電話機能制御手段により着信を制御するとともに前記留守番電話機能設定手段の設定に応じて留守番電話機能制御手段により留守番電話機能を制御するようにしたので、一の電話番号に対して着信している状態で残りの電話番号に対する着信があった場合でも、この着信内容をもれなく録音することができ、これにより着信を許容していない電話番号に対して緊急を要する内容の着信があった場合もこれを確実に受取ることができ、連絡不能になるような不都合を回避することもできる。
【００１７】
　また、本発明によれば、記憶手段は、スケジュールを記憶するスケジュール記憶手段を有し、前記着信識別符号設定手段は、スケジュール記憶手段に記憶されるスケジュールに基づいて着信を許容する識別符号を設定するようにしているので、予め設定したスケジュールに沿った着信を実現でき、不要な着信を締め出すことが可能になる。
【００１８】
　また、本発明によれば、記憶手段は、少なくとも１つの端末識別符号を記憶した第１の記憶手段の他に、少なくとも１つの端末識別符号を記憶した着脱可能な第２の記憶手段を有しているので、第２の記憶手段の端末識別符号として、例えばビジネス用電話機やプライベート用電話機など種々の用途の電話番号に対応して使用することができ、電話機の利用範囲を大幅に拡大することができる。
【００１９】
　また、本発明によれば、前記第２の記憶手段の着脱状態を検出する検出手段で第２の記憶手段の着状態を検出すると、第２の記憶手段に記憶された端末識別符号を選択し、第２の記憶手段の脱状態を検出すると第１の記憶手段に記憶された端末識別符号を選択するようにしているので、第２の記憶手段を着脱することのみで、異なる用途の電話番号を使い分けすることができる。
【００２０】
　また、発明によれば、記憶手段は、着脱可能に設けられ且つ少なくとも１つの端末識別符号を記憶するようにしているので、記憶手段を変更することで、種々の用途の電話番号に対応して使用することができる。
【発明を実施するための最良の形態】
【００２１】
　以下、本発明の実施例を図面に従い説明する。
（第１実施例）
【００２２】
　図１は、第１実施例が適用されるＰＨＳ端末の概略構成を示している。
　同図において、１は制御部で、この制御部１にはバス１８により高周波部２、モデム４、ＴＤＭＡ５、スピーチコーデック６、ＰＣＭコーデック７、表示部９、ＲＯＭ１０、ＲＡＭ１１、録音再生回路１２、メモリ１３がそれぞれ接続されている。
【００２３】
　制御部１は、所定のプロトコルに従い、携帯電話装置全体の動作制御を行なうもので、ここでは着信のための着信識別符号設定部（着信識別符号設定手段）、留守番電話機能設定部（留守番電話機能設定手段）、識別符号照合部（識別符号照合手段）、および留守番電話機能制御部（留守番電話機能制御手段）、発信のための識別符号選択部（識別符号選択手段）および発信制御部（発信制御手段）などを具備している。着信識別符号設定部では、複数の識別符号のうち着信を許容する識別符号の設定を行ない、留守番電話機能設定部では、前記着信識別符号設定部で設定された識別符号の着信について留守番電話機能の設定を行ない、識別符号照合部では着信の際に受信した識別符号と前記着信識別符号設定部により設定された識別符号の照合を行ない、留守番電話機能制御部では、前記着信識別符号設定部で設定された識別符号の着信に対して留守番電話機能の作動制御を行ない、識別符号選択部では、発信の際に前記複数の識別符号のうち発信を許容する識別符号の選択を行ない、発信制御部では、前記識別符号選択部により選択された識別符号に応じて発信制御を行なう。
【００２４】
　そして制御部１には、キー入力部８が接続されている。キー入力部８は、ＰＨＳ端末自身が電話番号Ａか電話番号Ｂかを設定するキー、電話番号を入力するテンキーを有する他に、通話キー、電話番号Ａの通常モードによる待受けの設定、電話番号Ｂの通常モードによる待受けの設定、一方の電話番号に対して着信している状態で残りの電話番号に対する着信があった場合でも、この着信内容をもれなく録音することができる待受けの設定、電話番号Ａの留守番電話モードによる待受けの設定および電話番号Ｂの留守番電話モードによる待受けの設定を行うための各キーを有している。
【００２５】
　高周波部２は、周波数変換処理を行なうもので、アンテナスイッチ２ａ、受信部２ｂ、ＰＬＬシンセサイザ２ｃおよび送信部２ｄを有し、アンテナスイッチ２ａをアンテナ３に接続している。そしてアンテナスイッチ２ａは受信部２ｂまたは送信部２ｄを選択することにより、信号を送信／受信に振り分ける。
【００２６】
　受信部２ｂは、アンテナ３からアンテナスイッチ２ａを介して入力された信号を図示しない２段のミキサーにより受信中間周波数信号に周波数変換する。送信部２ｄは、モデム４から入力されたπ／４ＱＰＳＫ（Ｑｕａｄｒａｔｕｒｅ Ｐｈａｓｅ Ｓｈｉｆｔ Ｋｅｙｉｎｇ）方式の変調波を図示しないミキサーで周波数変換し、アンテナスイッチ２ａを介してアンテナ３から輻射する。ＰＬＬシンセサイザ２ｃは、受信部２ｂおよび送信部２ｄでの周波数変換のための局部発振をする。
【００２７】
　高周波部２の受信部２ｂおよび送信部２ｄは、それぞれモデム４に接続されている。モデム４は、π／４ＱＰＳＫ方式の変復調処理を行なうもので、受信の場合、高周波部２における受信部２ｂからの受信中間周波信号を復調し、同相成分データおよび直交成分デ−タに分離し、デ−タ列としてＴＤＭＡ５へ転送し、また送信の場合、ＴＤＭＡ５から転送されてきたデータから同相成分データおよび直交成分データを作成し、π／４ＱＰＳＫ方式の変調を行ない、高周波部２における送信部２ｄへ出力する。
【００２８】
　モデム４には、ＴＤＭＡ５が接続されている。ＴＤＭＡ５は、フレーム同期およびスロットのフォーマット処理を行なうもので、受信の場合、モデム４から送られてくるデータ（フレーム）から所定タイミングでスロットを取り出し、スクランブル等を解除し、このスロットのフォーマットから構成データを取り出し、制御デ−タを制御部１へ送り、音声デ−タをスピーチコーデック６に転送し、また送信の場合、スピーチコーデック６から転送されてくる音声データに制御部１からの制御データを付加してスロットを作成し、スクランブル等をかけて所定タイミングで前記スロットをフレ−ムに挿入し、モデム４に送出する。
【００２９】
　ＴＤＭＡ５には、スピーチコーデック６が接続されている。スピーチコーデック６は、デジタルデータの圧縮、伸張処理を行なうもので、受信の場合、ＴＤＭＡ５から送られてきたＡＤＰＣＭ音声信号をＰＣＭ音声信号に復号化することにより伸張して、ＰＣＭコ−デック７に出力し、また送信の場合、ＰＣＭコ−デック７から送られてきたＰＣＭ音声信号をＡＤＰＣＭ音声信号に符号化することにより圧縮してＴＤＭＡ５に出力している。
【００３０】
　スピーチコーデック６には、ＰＣＭコ−デック７と後述するメモリ１３が接続されている。ＰＣＭコーデック７は、音声信号のアナログ／デジタル変換処理を行なうもので、ＰＣＭコーデック７には、アンプ１４を介して受話側スピーカ１５が接続され、また送話側マイク１６と発振器（リンガ）１７が接続されており、受信の場合、スピーチコーデック６から送られてくるＰＣＭ音声信号をＤ／Ａ変換して、そのアナログ信号をアンプ１４に出力してスピーカ１５を駆動し、また送信の場合、マイク１６から入力されたアナログ音声信号をＡ／Ｄ変換して、そのＰＣＭ音声信号をスピーチコーデック６に出力する。また、スピーカ１５の駆動の際のボリューム制御や、リンガ信号やト−ン信号の制御等も行なう。
【００３１】
　表示部９は、各種制御のための入力データおよびその結果などを表示するものである。ＲＯＭ１０は、制御部１の動作制御を行なうための制御プログラムと識別符号として複数（本実施例では２種類）の自己のＩＤ（電話番号に対応している）等が記憶されている。ＲＡＭ１１は、制御部１の制御で扱われるデータを一時記憶する他に、キー入力部８より設定される各種の条件を記憶するものである。メモリ１３は、留守番電話機能の起動により使用されるもので、使用者により録音されたメッセ−ジと、受信した発呼者のメッセージを録音するようにしている。録音再生回路１２は、制御部１の制御によりメモリ１３に対するメッセージの録音、再生の制御をするものである。
【００３２】
　次に、以上のように構成された実施例を図２乃至図３に示したフロ−チャ−トを基に説明する。
　なお本実施例では、ＰＨＳ端末のＲＯＭ１０に識別符号として２つのＩＤが設定されており、これら２つのＩＤにそれぞれ電話番号Ａ、電話番号Ｂが対応しているものとする。また、使用者は例えば電話番号Ａをビジネス用に、電話番号Ｂをプライベ−ト用に使い分けているものとする。また、予め使用者がキー入力部８よりキー操作することにより電話番号Ａまたは電話番号Ｂの通常モードによる待受け状態の設定、電話番号Ａまたは電話番号Ｂの留守番電話モードによる待受け状態の設定などを各別に行ない、これらの各種の条件をＲＡＭ１１に記憶しておく。
【００３３】
　まず、上記設定処理により各種条件が設定された状態での着信動作を図２及び図３に示したフローチャートを基に説明する。
　この状態から制御部１はステップ１０１で、着信信号を基地局からアンテナ３と高周波部２におけるアンテナスイッチ２ａを介して受信部２ｂにおいて受信してモデム４、ＴＤＭＡ５を介して検知すると、ステップ１０２で電話番号Ａまたは電話番号Ｂのいずれかにおいて通話中であるか否かを判断し、通話中でなければステップ１０３で着信が電話番号Ａに対するものであるか否かを判断する。
【００３４】
　この場合、制御部１はＴＤＭＡ５のフォーマット処理によりデータ（フレーム）の所定のスロット中のＩＤと、予めＲＯＭ１０に記憶されているＩＤを照合することにより判断する。そして、電話番号Ａに対する着信である場合、ステップ１０４で電話番号Ａが通常モードによる待受け状態であるか否かをＲＡＭ１１に記憶した条件を参照して判断し、通常モードによる待受け状態である場合、ステップ１０５で電話番号Ａに対して着信した旨を表示部９に表示するとともに、ステップ１０６で呼出し音を発生する。そして、ステップ１０７で使用者がキー入力部８の通話キーを操作することにより、通話が始まる。
【００３５】
　この場合の通話は図１において、送話の場合、使用者がマイク１６より音声を入力すると、そのアナログ音声信号はＰＣＭコーデック７においてＡ／Ｄ変換され、そのＰＣＭ音声信号がスピーチコーデック６に出力される。スピーチコーデック６では、前記ＰＣＭ音声信号をＡＤＰＣＭ音声信号に符号化することにより圧縮してＴＤＭＡ５に出力する。ＴＤＭＡ５では、スピーチコーデック６から転送されてくる音声データに制御部１からの制御データを付加してスロットを作成し、スクランブル等をかけて所定タイミングで前記スロットをフレ−ムに挿入し、モデム４に送出する。モデム４では、ＴＤＭＡ５から転送されてきたデータから同相成分データおよび直交成分データを作成し、π／４ＱＰＳＫ方式の変調を行ない、高周波部２における送信部２ｄへ出力し、アンテナスイッチ２ａを介しアンテナ３より基地局に向けて送信信号が発信される。
　なお、携帯電話装置における基地局からの受話の動作は上記に示した手順を逆行した手順となり、アンプ１４を通じてスピ−カ１５より音声が発生することとなる。
【００３６】
　一方、図２のステップ１０４において電話番号Ａが通常モードによる待受け状態でなければ、ステップ１０８で留守番電話モードが設定されているか否かをＲＡＭ１１に記憶した条件を参照して判断し、設定されていればステップ１０９で録音再生回路１２により、メモリ１３に記憶されている使用者の応答メッセ−ジを読み出し、スピーチコーデック６、ＴＤＭＡ５、モデム４、高周波部２を介してアンテナ３より基地局に向けて送信信号を発信する。そしてこれに応じて基地局から発呼者のメッセージを受信すると、上記に示した手順を逆行した手順で該発呼者のメッセージがメモリ１３に録音される。なお、ステップ１０８において留守番電話モードが設定されていなければ、ステップ１１０で基地局に向けて着信拒否信号を送信する。
【００３７】
　ステップ１０３で着信が電話番号Ａにおけるものでない場合、着信は電話番号Ｂにおけるものなので、図３のステップ１１５でＲＡＭ１１より電話番号Ｂが通常モードによる待受け状態であるか否かを判断し、通常モードによる待受け状態である場合、ステップ１１６で電話番号Ｂに対して着信した旨を表示部９に表示するとともに、ステップ１１７で呼出し音を発生する。そして、ステップ１１８で使用者がキー入力部８の通話キーを操作することにより、通話が始まる。通話時における動作については、上述と同様であり、ここでの説明は省略する。
【００３８】
　ステップ１１５において電話番号Ｂが通常モードによる待受け状態でなければ、ステップ１１９でＲＡＭ１１より留守番電話モードが設定されているか否かを判断し、設定されていればステップ１２０で録音再生回路によりメモリ１３に記憶されている使用者により録音された応答メッセ−ジを読み出し、以降前述したと同様の留守番電話機能動作を行なう。なお、ステップ１１９において留守番電話モードが設定されていなければ、ステップ１２１で基地局に向けて着信拒否信号を送信する。
【００３９】
　さて、図２のステップ１０２において電話番号Ａ、電話番号Ｂのいずれかが通話中の場合、ステップ１１１で通話中の電話番号が電話番号Ｂであるか否かを判断し、電話番号Ｂである場合、ステップ１１２でＲＡＭ１１に記憶された条件を参照して電話番号Ａが通常モードによる待受け状態であるか否かを判断し、通常モードによる待受け状態である場合、ステップ１１３で電話番号Ａに対して着信した旨を表示部９に表示するとともに、ステップ１１４で発呼者に対して通話中に相当する応答を行なう。
【００４０】
　ステップ１１２において電話番号Ａが通常モードによる待受け状態でなければ、ステップ１０８でＲＡＭ１１より留守番電話モードが設定されているか否かを判断し、設定されていればステップ１０９で録音再生回路によりメモリ１３に記憶されている応答メッセ−ジを読み出し、以降前述したと同様の留守番電話機能動作を行なう。なお、ステップ１０８において留守番電話モードが設定されていなければ、ステップ１１０で電話番号Ａでの着信を拒否する。
【００４１】
　ステップ１１１での通話中の電話番号が電話番号Ｂでない場合通話中の電話番号は電話番号Ａであるため、図３のステップ１２２でＲＡＭ１１より電話番号Ｂが通常モードによる待受け状態であるか否かを判断し、通常モードによる待受け状態である場合、ステップ１２３で電話番号Ｂに対して着信した旨を表示部９に表示するとともに、ステップ１２４で発呼者に対して通話中に相当する応答を行なう。
【００４２】
　ステップ１２２において電話番号Ｂが通常モードによる待受け状態でなければ、ステップ１１９でＲＡＭ１１より留守番電話モードが設定されているか否かを判断し、設定されていればステップ１２０で録音再生回路によりメモリ１３に記憶されている応答メッセ−ジを読み出し、以降前述したと同様の留守番電話機能動作を行なう。なお、ステップ１１９において留守番電話モードが設定されていなければ、ステップ１２１で電話番号Ｂでの着信を拒否する。
【００４３】
　次に、本実施例におけるＰＨＳ端末の発信動作を図４に示したフロ−チャ−トを基に説明する。
　ステップ２０１で電話番号Ａを使用して発信をする場合は、キー入力部８における所定のキーを押下し、電話番号Ａによる発信を選択する。そしてステップ２０４で、電話番号Ａに課金されることが決定され、ステップ２０５で相手の電話番号を、キー入力部８から入力してダイヤル発信する。このとき、制御部１は、電話番号Ａに対応するＩＤにより通話を制御する。
【００４４】
　一方、ステップ２０１で電話番号Ａによる発信が選択されず、ステップ２０２で電話番号Ｂを使用して発信をする場合は、キー入力部８における所定のキーを押下し、電話番号Ｂによる発信を選択する。そしてステップ２０３で電話番号Ｂに課金されることが決定され、ステップ２０５で相手の電話番号をキー入力部８から入力してダイヤル発信する。このとき、制御部１は、電話番号Ｂに対応するＩＤにより通話を制御する。
【００４５】
　従って、このような第１実施例によれば、ＲＯＭ１０に電話番号Ａ、Ｂに相当する二つのＩＤを記憶していて、着信の際に電話番号Ａまたは電話番号Ｂのいずれにおいて着信を行なうかをキー入力部８より使用者が予め設定するとともに、ＲＡＭ１１にこれら着信条件を記憶し、着信があった際にＲＯＭ１０に登録されたＩＤと着信信号におけるスロット中のＩＤを識別し、ＲＡＭ１１に記憶された前記着信条件に応じた着信制御を行なうようにしたので、ビジネス用、プライベート用に応じて異なる電話番号を活用した着信を実現でき、これにより１台の電話機でビジネス用、プライベート用と目的に応じた着信通話を選択的に行なうことができる。
【００４６】
　また、ＲＯＭ１０に電話番号Ａ、Ｂに相当する二つのＩＤを記憶していて、発信の際に電話番号Ａまたは電話番号Ｂのいずれにおいて発信を行なうかをキー入力部８より使用者が選択することにより発信制御を行なうようにしたので、ビジネス用、プライベート用に応じて異なる電話番号を活用した発信を実現でき、これにより発信の際にビジネス用、プライベート用で課金を振り分けることができる。
【００４７】
　また、ＲＯＭ１０に電話番号Ａ、Ｂに相当する二つのＩＤを記憶していて、着信の際に電話番号Ａまたは電話番号Ｂのいずれにおいて着信を行なうか、各々の着信状態について留守番電話機能を使用するか否かをキー入力部８より使用者が予め設定するとともに、ＲＡＭ１１にこれら着信条件を記憶し、着信があった際にＲＯＭ１０に登録されたＩＤと着信信号におけるスロット中のＩＤを識別し、ＲＡＭ１１に記憶された前記着信条件に応じた着信制御を行なうようにしたので、例えばビジネス用の電話番号に対して着信している状態でプライベート用の電話番号に対する着信があった場合でも、このプライベート用の着信内容をもれなくメモリ１３に録音することができ、これによりプライベート用の電話番号に対して緊急を要する内容の着信があった場合でも、これを確実に受け取ることができ、連絡不能になるような不都合を回避することもできる。
（第２実施例）
【００４８】
　図５は第２実施例が適用されるＰＨＳ端末の概略構成を示すもので、図１と同一部分には同符号を付している。
　この第２実施例の場合、制御部１には、インターフェース１８を接続し、このインターフェース１９にＩＤメモリ２０を着脱可能に設けている。このＩＤメモリ２０は、１つのＩＤ（電話番号に対応している）を記憶したものである。
【００４９】
　また、インターフェース１９は、ＩＤメモリ２０の着脱状態を検出する着脱検出部１９ａを有し、この着脱検出部１９ａによる検出信号を制御部１に与えるようにしている。
　この場合、制御部１は、着脱検出部１９ａより着状態の検出信号を受取ると、ＩＤメモリ２０に記憶されたＩＤを選択し、脱状態の検出信号を受取ると、装置内部のＲＯＭ１０に記憶されたＩＤを選択するようになっている。
【００５０】
　その他は、図１と同様であり、ここでの説明は省略する。
　しかして、いま、図６に示すフローチャートにおいて、ステップ３０１で装置側電源がＯＮになると、ステップ３０２でＩＤメモリ２０が着状態あるか否かを判断する。この場合、インターフェース１９に対するＩＤメモリ２０の着脱状態を検出する着脱検出部１９ａからの検出信号からＩＤメモリ２０があるか否かを判断する。
【００５１】
　ここで、ＩＤメモリ２０が着状態にあると判断すると、ステップ３０３に進み、ＩＤメモリ２０に記憶されたＩＤを選択し、ステップ３０４で、このＩＤをＲＡＭ１１にセットするようになる。一方、ＩＤメモリ２０が脱状態にあると判断すると、ステップ３０５に進み、ＲＯＭ１０に記憶されたＩＤを選択し、ステップ３０４で、このＩＤをＲＡＭ１１にセットするようになる。
【００５２】
　従って、このようにすれば、例えば、ＩＤメモリ２０に記憶されたＩＤをビジネス用の電話番号Ａ、ＲＯＭ１０に記憶されたＩＤをプライベ−ト用の電話番号Ｂにそれぞれ対応させておけば、ＩＤメモリ２０をインターフェース１９に接続した着状態では、ＩＤメモリ２０のＩＤによりビジネス用電話機として利用でき、また、ＩＤメモリ２０をインターフェース１９より切り離した脱状態では、ＲＯＭ１０のＩＤによりプライベ−ト用電話機として利用でき、それぞれ用途に応じた使い分けがＩＤメモリ２０の着脱により可能になる。この場合の発着用動作については、上述した第１実施例と同様である。
【００５３】
　なお、上述でのＩＤメモリ２０は、１つのＩＤを記憶したものに付いて述べたが、２つ以上のＩＤを記憶したものを用いてもよい。
（第３実施例）
【００５４】
　図７は第３実施例が適用されるＰＨＳ端末の概略構成を示すもので、図１と同一部分には同符号を付している。
　この第３実施例の場合、制御部１には、インターフェース２１を接続し、このインターフェース２１にＩＤメモリ２２、２３を着脱可能に設けている。これらＩＤメモリ２２、２３は、それぞれ１つのＩＤ（電話番号に対応している）を記憶したものである。また、この場合、ＲＯＭ１０には、ＩＤを記憶しないものとする。
【００５５】
　その他は、図１と同様であり、ここでの説明は省略する。
　しかして、ＩＤメモリ２２、２３にそれぞれ記憶されたＩＤをビジネス用電話番号Ａ、プライベ−ト用電話番号Ｂに対応させ、予めキー入力部８のキー操作により電話番号Ａまたは電話番号Ｂの通常モードによる待受け状態の設定、電話番号Ａまたは電話番号Ｂの留守番電話モードによる待受け状態の設定などを各別に行ない、これら条件をＲＡＭ１１に記憶することにより、上述した第１実施例と同様な発着用動作が実行され、同様な効果が得られる。
【００５６】
　なお、上述でのＩＤメモリ２２、２３は、１つのＩＤを記憶したものに付いて述べたが、それぞれ２つ以上のＩＤを記憶したものを用いてもよい。
（第４実施例）
【００５７】
　第４実施例は、第１乃至第３実施例で述べた複数のＩＤをスケジュールにより管理する場合の具体例を示すものである。
　この第４実施例の場合、図８に示すように実際のスケジュールａに対して、２つのＩＤの使用状態ｂを設定するようにしている。ここでは、ＩＤとして、プライベート用ＩＤ（Ｐ）とビジネス用ＩＤ（Ｗ）からなり、それぞれスケジュールａの内容に応じてｓｌｅｅｐ（自動電話応答）とｗａｋｅ ｕｐ（通常着信）を設定している。例えば、睡眠中は、プライベート用ＩＤ（Ｐ）とビジネス用ＩＤ（Ｗ）ともｓｌｅｅｐ（自動電話応答）に設定され、就業時間中は、プライベート用ＩＤ（Ｐ）がｓｌｅｅｐ（自動電話応答）、ビジネス用ＩＤ（Ｗ）がｗａｋｅ ｕｐ（通常着信）に設定される。また、就業時間中においても会議中は、ビジネス用ＩＤ（Ｗ）もｓｌｅｅｐ（自動電話応答）に変更される。そして、プライベート時間中は、プライベート用ＩＤ（Ｐ）がｗａｋｅ ｕｐ（通常着信）、ビジネス用ＩＤ（Ｗ）がｓｌｅｅｐ（自動電話応答）に設定される。なお、ｓｌｅｅｐ（自動電話応答）の応答メッセージは、スケジュールの内容により変更される。例えば、会議中であれば、「ただいま会議中ですのでメッセージをお願いします。」が出力される。
【００５８】
　しかして、このような条件がＲＡＭ１１に設定された状態での着信動作を図９に示したフローチャートにより説明する。
　まず、ステップ４０１で着信を検出すると、ステップ４０２で着信がプライベート用ＩＤ（Ｐ）に対するものであるか否かを判断する。ここで、プライベート用ＩＤ（Ｐ）に対する着信である場合、ステップ４０３でプライベート用ＩＤ（Ｐ）がｗａｋｅ ｕｐ（通常着信）の待受け状態であるか否かをＲＡＭ１１に記憶した条件を参照して判断する。
【００５９】
　そして、待受け状態である場合、ステップ４０４でプライベート用ＩＤ（Ｐ）に対して着信した旨を表示部９に表示するとともに、ステップ４０５で呼出し音を発生する。そして、ステップ４０６で使用者がキー入力部８の通話キーを操作することにより、通話が始まる。
【００６０】
　一方、ステップ４０３において、プライベート用ＩＤ（Ｐ）がｗａｋｅ ｕｐ（通常着信）の待受け状態でなければ、ｓｌｅｅｐ（自動電話応答）状態と判断して、ステップ４０７に進み、録音再生回路１２により、メモリ１３に記憶されている使用者の応答メッセ−ジを読み出すようになる。
【００６１】
　また、ステップ４０２で着信がプライベート用ＩＤ（Ｐ）に対するものでないと判断した場合は、ビジネス用ＩＤ（Ｗ）に対する着信と判断してステップ４０８に進む。そして、ステップ４０８でビジネス用ＩＤ（Ｗ）がｗａｋｅ ｕｐ（通常着信）の待受け状態であるか否かをＲＡＭ１１に記憶した条件を参照して判断する。
【００６２】
　ここで、待受け状態である場合、ステップ４０９でビジネス用ＩＤ（Ｗ）に対して着信した旨を表示部９に表示するとともに、ステップ４１０で呼出し音を発生する。そして、ステップ４１１で使用者がキー入力部８の通話キーを操作することにより、通話が始まる。
【００６３】
　一方、ステップ４０８において、ビジネス用ＩＤ（Ｗ）がｗａｋｅ ｕｐ（通常着信）の待受け状態でなければ、ｓｌｅｅｐ（自動電話応答）状態と判断して、ステップ４１２に進み、録音再生回路１２により、メモリ１３に記憶されている使用者の応答メッセ−ジを読み出すようになる。
【００６４】
　なお、本発明は上記実施例のみに限定されず、次のような変形例も考えられる。例えば、第１実施例におけるＰＨＳ端末では、二つのＩＤを有しているが、勿論、三つ以上のＩＤを有し、用途別に使い分けることもできる。また、上述した各実施例では、コードレス電話であるＰＨＳ端末について述べたが、一般の携帯電話や自動車電話で代表されるデジタル無線端末にも適用できる。
【図面の簡単な説明】
【００６５】
【図１】本発明の第１実施例におけるＰＨＳ端末の回路構成を示す図。
【図２】第１実施例のＰＨＳ端末の着信制御の手順を示したフロ−チャ−ト。
【図３】第１実施例のＰＨＳ端末の着信制御の手順を示したフロ−チャ−ト。
【図４】第１実施例のＰＨＳ端末の発信制御の手順を示したフロ−チャ−ト。
【図５】本発明の第２実施例におけるＰＨＳ端末の回路構成を示す図。
【図６】第２実施例の動作を説明するためのフローチャート。
【図７】本発明の第３実施例におけるＰＨＳ端末の回路構成を示す図。
【図８】本発明の第４実施例を説明するための図。
【図９】第４実施例の動作を説明するためのフローチャート。
【符号の説明】
【００６６】
　１…制御部
　２…高周波部
　２ａ…アンテナスイッチ
　２ｂ…受信部
　２ｃ…ＰＬＬシンセサイザ
　２ｄ…送信部
　３…アンテナ
　４…モデム
　５…ＴＤＭＡ
　６…スピーチコーデック
　７…ＰＣＭコーデック
　８…キー入力部
　９…表示部
　１０…ＲＯＭ
　１１…ＲＡＭ
　１２…録音再生回路
　１３…メモリ
　１４…アンプ
　１５…スピーカ
　１６…マイク
　１７…発振器（リンガ）
　１８…バス
　１９、２１…インターフェース
　２０、２２、２３…ＩＤメモリ
【図１】
2004120788.tif 000003
【図２】
2004120788.tif 000004
【図３】
2004120788.tif 000005
【図４】
2004120788.tif 000006
【図５】
2004120788.tif 000007
【図６】
2004120788.tif 000008
【図７】
2004120788.tif 000009
【図８】
2004120788.tif 000010
【図９】
2004120788.tif 000011
【手続補正書】
【提出日】平成15年12月17日(2003.12.17)
【手続補正１】
【補正対象書類名】特許請求の範囲
【補正対象項目名】全文
【補正方法】変更
【補正の内容】
【特許請求の範囲】
【請求項１】
　複数の識別符号を記憶した記憶手段と、
　前記複数の識別符号に対してそれぞれ複数種の待受けモードの内の１つを設定することが可能な待受けモード設定手段と、
　着信があった際、当該着信の際に受信した識別符号と前記複数の識別符号とを照合する識別符号照合手段と、
　前記識別符号照合手段による照合より受信した識別情報との一致が検出された識別符号に対して設定されている待受けモードに基づく所定の処理を行う着信処理手段と、
　発信の際に使用する識別情報を前記複数の識別符号の中から選択する選択手段と、
　前記選択手段により選択された識別情報を使用して発信する発信手段と
　を具備したことを特徴とする携帯電話装置。
【請求項２】
　スケジュールを記憶するスケジュール記憶手段を更に具備し、前記待受けモード設定手段は、前記スケジュール記憶手段に記憶されているスケジュールに基づいて各識別符号の待受けモードを設定することを特徴とする請求項１記載の携帯電話装置。
【請求項３】
　前記複数種の待受けモードの内の１つは、着信時に自動的に応答メッセージを読み出して発呼者に送信する処理を指定するモードであることを特徴とする請求項１又は２記載の携帯電話装置。
【請求項４】
　前記複数種の待受けモードの内の１つは、着信時に自動的に応答メッセージを読み出して発呼者に送信し、且つ発呼者からのメッセージを受信して記憶する処理を指定するモードであることを特徴とする請求項１又は２記載の携帯電話装置。
【請求項５】
　前記記憶手段は、携帯電話装置本体に固定的に設けられ且つ少なくとも１つの識別符号を記憶した第１の記憶手段と、携帯電話装置本体に着脱可能に設けられ且つ少なくとも１つの識別符号を記憶した第２の記憶手段を具備することを特徴とする請求項１乃至４の何れかに記載の携帯電話装置。
【請求項６】
　前記第２の記憶手段の着脱状態を検出する検出手段と、この検出手段により前記第２の記憶手段の着状態を検出すると前記第２の記憶手段に記憶された識別符号を選択し、前記検出手段により前記第２の記憶手段の脱状態を検出すると前記第１の記憶手段に記憶された識別符号を選択する選択手段を具備したことを特徴とする請求項５記載の携帯電話装置。
【請求項７】
　前記記憶手段は、携帯電話装置本体に着脱可能な着脱式記憶手段であることを特徴とする請求項１乃至４の何れかに記載の携帯電話装置。
【手続補正２】
【補正対象書類名】明細書
【補正対象項目名】０００８
【補正方法】変更
【補正の内容】
【０００８】
　本発明は、複数の識別符号を記憶した記憶手段と、前記複数の識別符号に対してそれぞれ複数種の待受けモードの内の１つを設定することが可能な待受けモード設定手段と、着信があった際、当該着信の際に受信した識別符号と前記複数の識別符号とを照合する識別符号照合手段と、前記識別符号照合手段による照合より受信した識別情報との一致が検出された識別符号に対して設定されている待受けモードに基づく所定の処理を行う着信処理手段と、発信の際に使用する識別情報を前記複数の識別符号の中から選択する選択手段と、前記選択手段により選択された識別情報を使用して発信する発信手段により構成されている。
【手続補正３】
【補正対象書類名】明細書
【補正対象項目名】０００９
【補正方法】変更
【補正の内容】
【０００９】
　本発明では、スケジュールを記憶するスケジュール記憶手段を更に具備し、前記待受けモード設定手段は、前記スケジュール記憶手段に記憶されているスケジュールに基づいて各識別符号の待受けモードを設定するようにしている。
【手続補正４】
【補正対象書類名】明細書
【補正対象項目名】００１０
【補正方法】変更
【補正の内容】
【００１０】
　本発明では、前記複数種の待受けモードの内の１つは、着信時に自動的に応答メッセージを読み出して発呼者に送信する処理を指定するモードである。
【手続補正５】
【補正対象書類名】明細書
【補正対象項目名】００１１
【補正方法】変更
【補正の内容】
【００１１】
　本発明では、前記複数種の待受けモードの内の１つは、着信時に自動的に応答メッセージを読み出して発呼者に送信し、且つ発呼者からのメッセージを受信して記憶する処理を指定するモードである。
【手続補正６】
【補正対象書類名】明細書
【補正対象項目名】００１２
【補正方法】変更
【補正の内容】
【００１２】
　本発明では、前記記憶手段は、携帯電話装置本体に固定的に設けられ且つ少なくとも１つの識別符号を記憶した第１の記憶手段と、携帯電話装置本体に着脱可能に設けられ且つ少なくとも１つの識別符号を記憶した第２の記憶手段により構成されている。
【手続補正７】
【補正対象書類名】明細書
【補正対象項目名】００１３
【補正方法】変更
【補正の内容】
【００１３】
　本発明では、前記第２の記憶手段の着脱状態を検出する検出手段と、この検出手段により前記第２の記憶手段の着状態を検出すると前記第２の記憶手段に記憶された識別符号を選択し、前記検出手段により前記第２の記憶手段の脱状態を検出すると前記第１の記憶手段に記憶された識別符号を選択する選択手段により構成されている。
　また、本発明では、前記記憶手段は、携帯電話装置本体に着脱可能な着脱式記憶手段により構成されていてもよい。
【手続補正８】
【補正対象書類名】明細書
【補正対象項目名】００１４
【補正方法】変更
【補正の内容】
【００１４】
　本発明によれば、複数の識別符号を記憶手段により記憶し、前記複数の識別符号に対してそれぞれ複数種の待受けモードの内の１つを待受けモード設定手段により設定し、着信があった際、当該着信の際に受信した識別符号と前記複数の識別符号とを識別符号照合手段により照合し、この照合より受信した識別情報との一致が検出された識別符号に対して設定されている待受けモードに基づく所定の処理を行うようにし、また発信の際は、発信の際に使用する識別情報を前記複数の識別符号の中から選択する選択手段により選択された識別情報を使用して発信するようにしたので、使用目的に応じて異なる電話番号を活用した発着信を実現でき、これにより１台の電話機で例えば、ビジネス用、プライベート用と目的に応じた発信通話や着信通話を選択的に行なうことができる。また、発信の際には、これらビジネス用、プライベート用の使用に応じて通話時の課金を振り分けることもできる。
【手続補正９】
【補正対象書類名】明細書
【補正対象項目名】００１５
【補正方法】変更
【補正の内容】
【００１５】
　また、本発明によれば、スケジュールを記憶するスケジュール記憶手段を更に具備し、前記待受けモード設定手段は、スケジュール記憶手段に記憶されるスケジュールに基づいて各識別符号の待受けモードを設定するようにしているので、予め設定したスケジュールに適した着信処理を行うことが可能になる。
【手続補正１０】
【補正対象書類名】明細書
【補正対象項目名】００１６
【補正方法】変更
【補正の内容】
【００１６】
　また、本発明によれば、前記複数種の待受けモードの内の１つは、着信時に自動的に応答メッセージを読み出して発呼者に送信する処理を指定するモードであるので、着信があっても出る予定の無い識別符号に対して当該モードを設定しておけば、発呼者が無駄な呼出を長時間に渡って継続するというような不都合を回避することができる。
【手続補正１１】
【補正対象書類名】明細書
【補正対象項目名】００１７
【補正方法】変更
【補正の内容】
【００１７】
　また、本発明によれば、前記複数種の待受けモードの内の１つは、着信時に自動的に応答メッセージを読み出して発呼者に送信し、且つ発呼者からのメッセージを受信して記憶する処理を指定するモードであるので、着信があっても出る予定の無い識別符号に対して当該モードを設定しておけば、発呼者は最初の呼出時に要件をメッセージとして残し携帯電話装置の所有者に伝えることができる。
【手続補正１２】
【補正対象書類名】明細書
【補正対象項目名】００１８
【補正方法】変更
【補正の内容】
【００１８】
　また、本発明によれば、記憶手段は、携帯電話装置本体に固定的に設けられ且つ少なくとも１つの識別符号を記憶した第１の記憶手段と、携帯電話装置本体に着脱可能に設けられ且つ少なくとも１つの識別符号を記憶した第２の記憶手段を有しているので、第２の記憶手段の端末識別符号として、例えばビジネス用電話機やプライベート用電話機など種々の用途の電話番号に対応して使用することができ、電話機の利用範囲を大幅に拡大することができる。
【手続補正１３】
【補正対象書類名】明細書
【補正対象項目名】００１９
【補正方法】変更
【補正の内容】
【００１９】
　また、本発明によれば、前記第２の記憶手段の着脱状態を検出する検出手段で第２の記憶手段の着状態を検出すると、第２の記憶手段に記憶された識別符号を選択し、第２の記憶手段の脱状態を検出すると第１の記憶手段に記憶された識別符号を選択するようにしているので、第２の記憶手段を着脱することのみで、異なる用途の電話番号を使い分けすることができる。
【手続補正１４】
【補正対象書類名】明細書
【補正対象項目名】００２０
【補正方法】変更
【補正の内容】
【００２０】
　また、発明によれば、記憶手段は、携帯電話装置本体に着脱可能な着脱式記憶手段であるので、記憶手段を変更することで、種々の用途の電話番号に対応して使用することができる。